(57)【要約】【課題】  肩当て部を使用者の肩にぴったりとフィットするようにし、吊下げベルトが使用者の肩から自然にズリ落ちてしまうのを完全に防止できるようにした鞄用肩ベルトを提供する。【解決手段】  吊下げベルト１の中間部に、二股の肩当て部２ａ、２ｂを隙間Ｓを有して設けたものにしている。そして、前記二股の肩当て部２ａ、２ｂの何れか一方は、長さ調整具８により調整可能なものにしている。さらに、前記長さ調整具８を、肩当て部２ａの一端を連結部４に設けた挿通部９に摺動自在に挿通すると共に、この連結部４側に設けた調整バンド１０を肩当て部２ａ側に設けた止めリング１１に挿通し、この調整バンド１０をさらに調整リング１２の中ピン１２ａに巻き掛けるようにして、この調整リング１２の二つの通し孔に摺動自在に挿通したものとしている。【選択図面】    図２
2005304956.tif 000002
【特許請求の範囲】
【請求項１】
吊下げベルト（１）の中間部に、二股の肩当て部（２ａ、２ｂ）を隙間（Ｓ）を有して設けたことを特徴とする鞄用肩ベルト。
【請求項２】
前記二股の肩当て部（２ａ、２ｂ）の何れか一方を、長さ調整具（８）により調整可能なものにしたことを特徴とする請求項１記載の鞄用肩ベルト。
【請求項３】
前記長さ調整具（８）を、肩当て部（２ａ）の一端を連結部（４）に設けた挿通部（９）に摺動自在に挿通すると共に、この連結部（４）側に設けた調整バンド（１０）を肩当て部（２ａ）側に設けた止めリング（１１）に挿通し、この調整バンド（１０）をさらに調整リング（１２）の中ピン（１２ａ）に巻き掛けるようにして、この調整リング（１２）の二つの通し孔に摺動自在に挿通したものとしたことを特徴とする請求項２記載の鞄用肩ベルト。
【発明の詳細な説明】
【技術分野】
【０００１】
この発明は、肩から吊り下げることができる鞄に使用される鞄用肩ベルトに関するものである。
【背景技術】
【０００２】
従来、この種の鞄用肩ベルトには、肩に掛けた際に肩からズリ落ちないように工夫したものが存在する。
【０００３】
例えば、この種の鞄用肩ベルトとして、図７に示したように、巾広の直線状肩当パット２２の両端に、それぞれ吊下げべルト２３、２４を所定の角度を保って連結して構成したものが存在する。
【０００４】
また、この種の鞄用肩ベルトとして、図８に示したように、あらかじめ全体が所定の角度で湾曲された曲線状肩当パット２７の両端に、それぞれ吊下げベルト２８、２９を連結して構成したものが存在する。
【０００５】
さらに、この種の鞄用肩ベルトの前記図７、８に示したものの改良案として、図９に示したように、肩当パット３１の上面に吊下げベルト３２を積層固定した構成とし、金属板３３の両端部に角度の異なる非平行なスリット３４、３５を有する方向変換金具３６を前記吊下げベルト３２の途中に介在させることによって、吊下げベルト３２の両側を方向変換させたものが存在する（特許文献１）。
【特許文献１】特開平９−２１５５１６号公報（第１、２頁、第２、４、５図）
【発明の開示】
【発明が解決しようとする課題】
【０００６】
上記従来の鞄用肩ベルトは、肩に掛け渡しながら鞄を使用者の身体の腋に吊り下げた場合に、肩に掛け渡した吊下げベルトが身体の外側方向に引っ張られ、吊下げべルトが肩から自然にズリ落ちてしまうのを防止するために、図７〜９に示されたいずれにおいても、肩当パットの両端に吊下げべルトを所定の角度を保って連結したものとしている。
【０００７】
しかしながら、鞄用肩ベルトを使用する者の肩形状は、撫で肩、怒り肩など各人によってそれぞれ特徴があり、肩当パットがその使用者の肩に添った形状にいくらか変形するとはいってもその変形の程度は限られており、肩当パットがその使用者の肩にぴったりとはフィットしないために、吊下げべルトが肩から自然にズリ落ちてしまうのを完全に防止できないという問題点を有していた。
【０００８】
そこで、この発明は、上記従来の問題点を解決することをその課題としており、肩当て部を使用者の肩にぴったりとフィットするようにし、吊下げベルトが使用者の肩から自然にズリ落ちてしまうのを完全に防止できるようにした鞄用肩ベルトを提供することを目的としてなされたものである。
【課題を解決するための手段】
【０００９】
そのため、この発明の鞄用肩ベルトは、吊下げベルト１の中間部に、二股の肩当て部２ａ、２ｂを隙間Ｓを有して設けたものとしている。
【００１０】
そして、この発明の鞄用肩ベルトは、前記二股の肩当て部２ａ、２ｂの何れか一方を、長さ調整具８により調整可能なものにしている。
【００１１】
さらに、この発明の鞄用肩ベルトは、前記長さ調整具８を、肩当て部２ａの一端を連結部４に設けた挿通部９に摺動自在に挿通すると共に、この連結部４側に設けた調整バンド１０を肩当て部２ａ側に設けた止めリング１１に挿通し、この調整バンド１０をさらに調整リング１２の中ピン１２ａに巻き掛けるようにして、この調整リング１２の二つの通し孔に摺動自在に挿通したものとしている。
【発明の効果】
【００１２】
この発明は、以上に述べたように構成されており、肩当て部を使用者の肩にぴったりとフィットするようにしたので、吊下げべルトが使用者の肩から自然にズリ落ちてしまうのを完全に防止することができるものとなった。
【発明を実施するための最良の形態】
【００１３】
以下、この発明の鞄用肩ベルトを実施するための最良の形態について、図面に基づき詳細に説明する。
【００１４】
図１は、この発明の鞄用肩ベルトの一実施形態を示しており、図２〜４は、この発明の鞄用肩ベルトの他の実施形態を示している。この発明のいずれの鞄用肩ベルトにおいても、吊下げベルト１の中間部に、二股の肩当て部２ａ、２ｂを隙間Ｓを有して設けたものとしている。
【００１５】
すなわち、この発明の鞄用肩ベルトは、分断した吊下げベルト１の一方１ａと他方１ｂのそれぞれの内端を、前記肩当て部２ａ、２ｂの両端に連結したものとしている。図１に示したものでは、縫着することにより、図２〜４に示したものでは、連結環３を有した連結部４を介して、前記吊下げベルト１と肩当て部２ａ、２ｂを連結したものとしている。
【００１６】
さらに、この発明の鞄用肩ベルトは、前記吊下げベルト１の一方１ａと他方１ｂにそれぞれ長さ調整具５が設けられ、さらにこれら吊下げベルト１の外端に連結具６が設けられ、その連結具６によって鞄Ｂに着脱自在として取り付けられるものとしている。なお、この発明の鞄用肩ベルトは、前記連結具６によることなく鞄Ｂに直接固着したものとしてもよい。
【００１７】
図１に示した鞄用肩ベルトは、前記二股の肩当て部２ａ、２ｂを内側（鞄用肩ベルトを使用者の肩に掛けた場合に内になる側）に湾曲させた形状としており、さらに内側になる肩当て部２ｂの外端にはなだらかな山状に膨らんだ補助当て部７を延設したものとしている。この補助当て部７は、使用者の肩との接触面積を広くし、肩からよりズリ落ち難くすると共に、肩との接触力を緩和して、使用者の肩が痛くならないようにするものである。なお、前記肩当て部２ａ、２ｂの裏側（鞄用肩ベルトを使用者の肩に掛けた場合にその肩に接触する側）には、必要に応じてスベリ止め加工が施されたり、クッション材を設けたものとすることができる。
【００１８】
図２〜４に示した鞄用肩ベルトは、前記二股の肩当て部２ａ、２ｂを内側（鞄用肩ベルトを使用者の肩に掛けた場合に内になる側）に湾曲させた形状としており、その湾曲の度合いを、外側になる肩当て部２ａより、内側になる肩当て部２ｂの方が大きくなるようにしている。そして、この発明の鞄用肩ベルトは、前記外側になる肩当て部２ａの長さを長さ調整具８により調整可能なものにしている。さらに、内側になる肩当て部２ｂの外端には、図示していないが、図１に示したものと同様に、なだらかな山状に膨らんだ補助当て部７を延設したものとすることができる。なお、前記肩当て部２ａ、２ｂの裏側（鞄用肩ベルトを使用者の肩に掛けた場合にその肩に接触する側）には、図１に示したものと同様に、必要に応じてスベリ止め加工が施されたり、クッション材を設けたものとすることができる。
【００１９】
前記長さ調整具８は、肩当て部２ａの一端を連結部４に設けた挿通部９に摺動自在に挿通すると共に、この連結部４側に設けた調整バンド１０を肩当て部２ａ側に設けた止めリング１１に挿通し、この調整バンド１０をさらに調整リング１２の中ピン１２ａに巻き掛けるようにして、この調整リング１２の二つの通し孔に摺動自在に挿通したものとしている。また、この長さ調整具８は、同様にして内側になる肩当て部２ｂに設けてもよく、この長さ調整具８によって、内側になる肩当て部２ｂの長さを調整可能なものにすることもできる。
【００２０】
そこで、このように構成したこの発明の鞄用肩ベルトの使用状態について、次に説明する。
【００２１】
図１のように構成した鞄用肩ベルトでは、図５に示したように、肩に掛け渡しながら二股の肩当て部２ａ、２ｂが肩に当たるようにして、鞄Ｂを使用者の身体の腋に吊り下げる。そしてこの時、使用者の肩の形状に応じて、前記肩当て部２ａ、２ｂの間の隙間Ｓを広げたり狭めることにより、場合によっては肩当て部２ａ、２ｂを引っ付けたり、重なり合わせて隙間Ｓを塞ぐようにすることにより、肩当て部２ａ、２ｂそれぞれの使用者の肩に当たる角度を調整して、これら肩当て部２ａ、２ｂを使用者の肩にぴったりとフィットさせるようにする。このようにすることにより、鞄用肩ベルトが使用者の肩からズリ落ちてしまうのを完全に防止することができる。
【００２２】
さらに、図２〜４のように構成した鞄用肩ベルトでは、図６に示したように、肩に掛け渡しながら二股の肩当て部２ａ、２ｂが肩に当たるようにして、鞄Ｂを使用者の身体の腋に吊り下げる。そしてこの時、使用者の肩の形状に応じて、前記肩当て部２ａ、２ｂの間の隙間Ｓを広げたり狭めることにより、場合によっては肩当て部２ａ、２ｂを引っ付けたり、重なり合わせて隙間Ｓを塞ぐようにすることにより、肩当て部２ａ、２ｂそれぞれの使用者の肩に当たる角度を調整して、これら肩当て部２ａ、２ｂを使用者の肩にぴったりとフィットさせるようにする。しかし、使用者の肩の形状によっては、このようにするだけでは、肩当て部２ａ、２ｂを使用者の肩にぴったりとフィットさせることができない場合がある。このような場合には、肩当て部２ａの長さを長さ調整具８によりさらに調整して、これら肩当て部２ａ、２ｂを使用者の肩にぴったりとフィットさせるようにする。このようにすることにより、鞄用肩ベルトが使用者の肩からズリ落ちてしまうのを完全に防止することができる。なお、前記したように長さ調整具８は、肩当て部２ａ側に設けたものとしたが、必要によっては肩当て部２ｂ側に設けたり、または両方に設けることもでき、この長さ調整具８により肩当て部２ｂの長さ、または両肩当て部２ａ、２ｂの長さを調整して、これら肩当て部２ａ、２ｂを使用者の肩にぴったりとフィットさせるようにすることもできる。
【図面の簡単な説明】
【００２３】
【図１】この発明の鞄用肩ベルトの一実施形態を示す平面図である。
【図２】この発明の鞄用肩ベルトの他の実施形態を示す平面図である。
【図３】図２中のＡ−Ａ線による断面図である。
【図４】図２中のＢ−Ｂ線によって断面して、この発明の鞄用肩ベルトの長さ調整具を見た説明図である。
【図５】図１に示すこの発明の鞄用肩ベルトの使用状態を示す説明図である。
【図６】図２に示すこの発明の鞄用肩ベルトの使用状態を示す説明図である。
【図７】従来の鞄用肩ベルトの一例を示す平面図である。
【図８】従来の鞄用肩ベルトの他の例を示す平面図である。
【図９】従来の鞄用肩ベルトのさらに他の例を示す平面図である。
【符号の説明】
【００２４】
１  吊下げベルト
２ａ  肩当て部
２ｂ  肩当て部
４  連結部
８  長さ調整具
９  挿通部
１０  調整バンド
１１  止めリング
１２  調整リング
１２ａ  中ピン
【図１】
2005304956.tif 000003
【図２】
2005304956.tif 000004
【図３】
2005304956.tif 000005
【図４】
2005304956.tif 000006
【図５】
2005304956.tif 000007
【図６】
2005304956.tif 000008
【図７】
2005304956.tif 000009
【図８】
2005304956.tif 000010
【図９】
2005304956.tif 000011